(57)【要約】    【課題】  足裏、特に角質化した踵の皮膚を軟質化し、又踵の皮膚が角質化するのを抑制し軽減できるようにした保湿具を提供する。    【解決手段】  足に着用され、少なくとも踵に対応する部位には踵よりも大きい面積の非通気性のシート(30)を設け、該非通気性のシートを室温でゴム弾性を示す高分子材料で製作し、着用した人の足の温度によって少なくとも踵の皮膚を保湿し軟質化させる。足裏保湿具は短ソックス状又はサポータ状に製作することができる。非通気性のシートの材料には天然ゴムや合成ゴム、例えばクロロプレーンゴムを用い、非通気性のシートの表面を伸縮性のある繊維素材で、裏面を伸縮性のある繊維素材又は伸縮性のあるフィルムで覆うのがよい。【選択図】  図１
2005179868.tif 000002
【特許請求の範囲】
【請求項１】
足に着用され、少なくとも踵に対応する部位には踵よりも大きい面積の非通気性のシートが設けられ、該非通気性のシートが室温でゴム弾性を示す高分子材料で製作されており、着用した人の足の温度によって少なくとも踵の皮膚を保湿し軟質化させるようになっていることを特徴とする足裏保湿具。
【請求項２】
足裏を覆って足に履かせられる短ソックス状をなしている請求項１記載の足裏保湿具。    
【請求項３】
少なくとも足裏の踵の部分及び甲部の足首側の部分に外装されるサポータ状をなしている請求項１記載の足裏保湿具。
【請求項４】
上記非通気性のシートが足裏の全体を覆う大きさである請求項１記載の足裏保湿具。
【請求項５】
上記非通気性のシートの材料が天然ゴム又は合成ゴムである請求項１ないし４のいずれかに記載の足裏保湿具。
【請求項６】
上記非通気性のシートの表面が伸縮性のある繊維素材で覆われている請求項５記載の足裏保湿具。
【請求項７】
上記非通気性のシートの裏面が伸縮性のある繊維素材又は伸縮性のある合成樹脂製フィルムで覆われている請求項６記載の足裏保湿具。
【発明の詳細な説明】
【技術分野】
【０００１】
本発明は足裏保湿具に関し、足裏、特に踵が角質化するのを抑制し軽減し、又角質化した皮膚を軟質化できるようにした保湿具に関する。
【背景技術】
【０００２】
足裏、特に踵は角質化しやすく、特に冬期にはひび割れができて苦痛に感じることがある。通常、足裏の皮膚が角質化した場合、入浴後に角質化した皮膚を軽石等でこすりとり、あるいは尿素などを含むクリームを塗って皮膚を軟化させることが行われていた。
【０００３】
しかし、軽石等でこする方法では角質化した皮膚を十分に除去するのに時間がかかって煩わしく、又クリームを塗る方法では皮膚がベタつき、衣服や夜具を汚すおそれがある。      
【０００４】
他方、表地がナイロン・ポリエステル繊維の織布、中地がメタルコーティングを施しゴム繊維の織布、裏地がナイロン繊維の織布の３層からなり、皮膚の角質化した部位を中地で覆い、角質化した皮膚を軟質化するようにした除去補助具が提案されている（特許文献１）。
【特許文献１】特許第３４０２２０５号公報
【発明の開示】
【発明が解決しようとする課題】
【０００５】
しかし、上記従来公報記載の除去補助具では全て織布で構成されているので、通気性があり、入浴によって足の温度を十分に上昇させた直後に着用しないと、角質化した皮膚の軟質化の効果が得られないという問題があった。
【０００６】
本発明はかかる問題点に鑑み、入浴直後に着用しなくても角質化した皮膚を十分に軟質化できるようにすることを課題とする。
【課題を解決するための手段】
【０００７】
本件発明者ら上述の課題を解決すべく研究を重ね、試行錯誤を繰り返したところ、メタルコーティングを行ったゴム繊維の織布ではなく、伸縮性のある非通気性シートを用いると、足の温度によって足裏の温度が上昇し、発汗するとともに足裏がシットリとなり、しかも汗の湿気が外方に逃げられないので、そのシットリ感が持続し、足裏の皮膚が角質化するのを抑制し軽減できるとともに、角質化した皮膚は十分に保湿して軟質化できることを知見するに至った。
【０００８】
そこで、本発明に係る足裏保湿具は、足に着用され、少なくとも踵に対応する部位には踵よりも大きい面積の非通気性のシートが設けられ、該非通気製のシートが室温でゴム弾性を示す高分子材料で製作されており、着用した人の足の温度によって少なくとも踵の皮膚を保湿し軟質化させるようになっていることを特徴とする。
【０００９】
本発明の特徴の１つは少なくとも踵を覆う部位に、伸縮性のある非通気性のシートを設けるようにした点にある。これにより、非通気性のシートで覆った部位の皮膚がその部分の皮膚の温度によって温度上昇するとともに発汗し、非通気性のシートで覆った足裏の皮膚がシットリとなり、しかも非通気性のシートは汗の湿気が外方に逃げ出せないので、足裏の踵の部位を十分に保湿でき、入浴直後に着用しなくとも皮膚が角質化するのを十分に抑制し軽減できるとともに、角質化した皮膚を十分に軟質化できる。
【００１０】
足裏保湿具は少なくとも足裏の踵の部分を覆って足に着用できる形態であればよく、例えば足裏を覆って足に履かせられる短ソックス状、あるいは少なくとも足裏の踵の部分及び甲部の足首側の部分に外装されるサポータ状に製作されることができる。
【００１１】
非通気性のシートは少なくとも足裏の踵の部分を覆ってこれよりも大きな面積とすればよいが、足裏全体の皮膚温度によってより十分に足裏の皮膚の角質化を抑制軽減し又角質化した皮膚を軟質化する上で、非通気性のシートは足裏の全体を覆う大きさとするのがよい。
【００１２】
非通気性のシートは室温でゴム弾性を示す高分子材料で製作されていればよいが、足に履いた時の窮屈感等、使用する人への負担を考慮すると、伸縮性の大きい天然ゴムや合成ダム、例えばクロロプレーンゴムを用いるのがよい。しかし、天然ゴムや合成ゴムは表面に多少の粘着性があり、直接皮膚に接すると皮膚に粘着感が残り、又天然ゴムや合成ゴムを露出させると、室内の塵を粘着して汚れやすくなる。そこで、非通気性のシートの表面は伸縮性のある繊維素材で、裏面は伸縮性のある繊維素材又は伸縮性のある合成樹脂製フィルムで覆って三層構造にするのがよい。
【発明を実施するための最良の形態】
【００１３】
以下、本発明を図面に示す具体例に基づいて詳細に説明する。図１及び図２は本発明に係る足裏保湿具の好ましい実施形態を示す。本例の足裏保湿具１０は伸縮性・非通気性、保湿性を有する三層構造の素材生地から足を左右に分割した形状の生地を打ち抜き、これを中央で縫合して足袋状（短ソックス状）に製作され、又履き口１１は生地の糸が解けないように縫合処理されている。
【００１４】
三層構造の素材は表地２０がナイロン繊維とポリエステル繊維の混紡糸を用いて平編みした織布、中地３０がクロロプレーンゴム製のゴムシート、裏地４０がナイロン糸を用いて平編みした織布である。従って、本例では中地３０は足裏の全体を覆う大きさとなっている。
【００１５】
本例の足裏保湿具１０は図２に示されるように、そのまま足に履くか、あるいは靴下の上から履けばよい。すると、本例の足裏保湿具１０は通気性がないので、冷えた外気が足裏保湿具１０内に侵入せず、足全体の温度によって足裏保湿具１０内が温まり、これによって足裏の全体がシットリと発汗する。足裏保湿具１０に通気性がないので、発汗による湿気は外方に逃げ出さず、足裏のシットリ感を維持できる。その結果、足裏の皮膚が角質化するのを十分に抑制し軽減でき、又角質化した足裏の皮膚が軟質化できる。
【００１６】
本件発明者はその効果を確認すべく、入浴してから２〜３時間が経過し、足温が通常の体温まで十分に低下した後、就寝前に本例の足裏保湿具１０を履いて起床時に脱ぎ、これを１週間続けたところ、３日目ぐらいから踵の角質化したゴツゴツの皮膚が比較的軟らかくなり、以後踵の皮膚が再角質化せず、軽石等でこする必要もないことが確認された。
【００１７】
図３は第２の実施形態を示し、これは足裏保湿具５０を足首、足裏の踵の部分及び甲部の足首側の部分に外装されるサポータ状に製作した例である。使用した素材は第１の実施形態と同様の伸縮性・非通気性、保湿性を有する三層構造の素材生地を用いた。
【００１８】
本例の足裏保湿具５０も第１の実施形態と同様に、角質化した足裏の踵の皮膚を軟質化し、又踵の皮膚が角質化するのを抑制し軽減できる。
【００１９】
また、三層構造の素材には上記実施形態の素材に代え、表地がナイロン糸の織布、中地がクロロプレンゴム、裏地がメタルコーティングを施したポリウレタン製のフィルムとした素材を用いても上記実施形態と同様に、踵の皮膚の角質化の抑制・軽減及び軟質化の効果が得られた。また、本件発明者らの試験によれば、上記の実施形態において、中地ゴムシートの足裏側の表面にメタルコーティングを施すと、更に保湿性が増大できることを確認した。
【図面の簡単な説明】
【００２０】
【図１】本発明に係る足裏保湿具の好ましい実施形態を示す概略斜視図である。
【図２】上記実施形態の使用状態を示す図である。
【図３】第２の実施形態を示す図である。
【符号の説明】
【００２１】
１０      足裏保湿具
２０      表地
３０      中地
４０      裏地
５０      足裏保湿具
【図１】
2005179868.tif 000003
【図２】
2005179868.tif 000004
【図３】
2005179868.tif 000005